(57)【要約】【課題】契約書等の書類に記された機能要件に合わせて情報処理装置を導入する際に、当該情報処理装置の設定作業時間をより短縮する。【解決手段】実施形態の情報処理装置は、情報処理装置に必要な機能を示す機能要件が記された書類を示す画像データを解析して、情報処理装置に設定する１以上の設定項目を含む設定対象情報を取得する解析部と、設定対象情報に含まれる１以上の設定項目を設定する設定部と、を備える。【選択図】図４
2017027114.tif 000002
【特許請求の範囲】
【請求項１】
情報処理装置に必要な機能を示す機能要件が記された書類を示す画像データを解析して、前記情報処理装置に設定する１以上の設定項目を含む設定対象情報を取得する解析部と、
前記設定対象情報に含まれる１以上の設定項目を設定する設定部と、
を備える情報処理装置。
【請求項２】
前記解析部は、いずれかの設定項目を示す文字列に一致する文字列が前記画像データに含まれる場合に、一致する文字列が示す設定項目を特定し、特定された１以上の設定項目を含む前記設定対象情報を取得する、
請求項１に記載の情報処理装置。
【請求項３】
前記解析部は、前記画像データに含まれる１以上の所定の領域の輝度に基づいて前記画像データを解析することにより、前記１以上の設定項目を含む設定対象情報を取得する、
請求項１に記載の情報処理装置。
【請求項４】
前記解析部は、前記画像データに含まれる１以上の所定の領域の色に基づいて前記画像データを解析することにより、前記１以上の設定項目を含む設定対象情報を取得する、
請求項１に記載の情報処理装置。
【請求項５】
前記解析部は、前記画像データに含まれるコード情報から、前記１以上の設定項目を含む設定対象情報を取得する、
請求項１に記載の情報処理装置。
【請求項６】
前記情報処理装置に存在しない設定項目が前記設定対象情報に含まれている場合、前記情報処理装置に存在しない設定項目であることを示すエラー情報を表示する制御を行う表示制御部を更に備える、
請求項１乃至５のいずれか１項に記載の情報処理装置。
【請求項７】
前記表示制御部は、前記１以上の設定項目のうち、設定に必要な情報が不足している設定項目がある場合、設定に必要になる情報が不足している設定項目があることを示すエラー情報を表示する制御を行う、
請求項６に記載の情報処理装置。
【請求項８】
情報処理装置に必要な機能を示す機能要件が記された書類を示す画像データを解析して、前記情報処理装置に設定する１以上の設定項目を含む設定対象情報を取得する解析部と、
前記設定対象情報に含まれる１以上の設定項目を設定する設定部と、
を備える情報処理システム。
【請求項９】
前記書類を読み取ることにより前記画像データを取得する読取制御部、
を更に備える請求項８に記載の情報処理システム。
【請求項１０】
情報処理装置を、
前記情報処理装置に必要な機能を示す機能要件が記された書類を示す画像データを解析して、前記情報処理装置に設定する１以上の設定項目を含む設定対象情報を取得する解析部と、
前記設定対象情報に含まれる１以上の設定項目を設定する設定部、
として機能させるためのプログラム。
【発明の詳細な説明】
【技術分野】
【０００１】
本発明は情報処理装置、情報処理システム及びプログラムに関する。
【背景技術】
【０００２】
複写の条件、及び、データの送信先等を示す情報を含むＱＲコード（登録商標）等を文書に付与し、当該文書を読み取ることにより、複写の条件、及び、読み取られたデータの送信先等の設定を容易にする技術が従来から知られている。また書類の種別等を示す情報を含むＱＲコード（登録商標）等を書類に付与し、当該書類を読み取ることにより、複数の書類を当該種別に基づいて紐付けて効率的に管理できるようにする技術が従来から知られている。
【０００３】
特許文献１には、様々な紙の契約書（見積もり書及び注文書等）に識別情報を埋め込み、当該契約書をスキャンする等により電子化し、電子化されたデータを当該識別情報に基づいて関連付けることにより、当該電子化されたデータを効率的に管理できるようにする取引書類管理システムの発明が開示されている。
【発明の概要】
【発明が解決しようとする課題】
【０００４】
しかしながら従来の技術では、契約書等の書類に記された機能要件に合わせてファイルサーバー等の情報処理装置を導入する際に、当該情報処理装置の設定作業に時間がかかっていた。
【０００５】
本発明は、上記に鑑みてなされたものであって、契約書等の書類に記された機能要件に合わせて情報処理装置を導入する際に、当該情報処理装置の設定作業時間をより短縮できる情報処理装置、情報処理システム及びプログラムを提供することを目的とする。
【課題を解決するための手段】
【０００６】
上述した課題を解決し、目的を達成するために、本発明は、情報処理装置に必要な機能を示す機能要件が記された書類を示す画像データを解析して、前記情報処理装置に設定する１以上の設定項目を含む設定対象情報を取得する解析部と、前記設定対象情報に含まれる１以上の設定項目を設定する設定部と、を備える。
【発明の効果】
【０００７】
本発明によれば、契約書等の書類に記された機能要件に合わせて情報処理装置を導入する際に、当該情報処理装置の設定作業時間をより短縮できるという効果を奏する。
【図面の簡単な説明】
【０００８】
【図１】図１は実施形態の情報処理システムの構成の例を示す図である。
【図２】図２は実施形態のＭＦＰの機能構成の例を示す図である。
【図３】図３は実施形態の書類の例を示す図である。
【図４】図４は実施形態の情報処理装置の機能構成の例を示す図である。
【図５】図５は実施形態の情報処理方法の例を示すシーケンス図である。
【図６】図６は実施形態の設定処理の例を示すフローチャートである。
【図７】図７は実施形態のエラー情報の例１を示す図である。
【図８】図８は実施形態のエラー情報の例２を示す図である。
【図９】図９は実施形態の設定完了通知情報の例を示す図である。
【図１０】図１０は実施形態のＭＦＰのハードウェア構成の例を示す図である。
【図１１】図１１は実施形態の情報処理装置のハードウェア構成の例を示す図である。
【発明を実施するための形態】
【０００９】
以下に添付図面を参照して、情報処理装置、情報処理システム及びプログラムの実施形態を詳細に説明する。はじめに、実施形態の情報処理システムの構成の例について説明する。
【００１０】
図１は実施形態の情報処理システム１００の構成の例を示す図である。実施形態の情報処理システム１００は、ＭＦＰ（Ｍｕｌｔｉｆｕｎｃｔｉｏｎ  Ｐｅｒｉｐｈｅｒａｌ）２０、端末３０及び情報処理装置４０を備える。ＭＦＰ２０、端末３０及び情報処理装置４０は、ネットワーク１０を介して接続されている。ネットワーク１０の通信方式は、有線方式でも無線方式でもよく、また有線方式と無線方式とが組み合わされることにより実現されていてもよい。
【００１１】
ＭＦＰ２０は、印刷機能、コピー機能及びスキャナ機能等の機能を有する装置である。端末３０は、情報処理装置４０を設定する際に、ユーザにより使用される装置である。情報処理装置４０は、設定対象の装置である。情報処理装置４０は、契約書等の書類に記された機能要件を満たすように設定される。機能要件は、情報処理装置４０に必要な機能を示す。なお情報処理装置４０は任意の装置でよい。情報処理装置４０は、例えばファイルサーバー及びＭＦＰ等である。
【００１２】
図２は実施形態のＭＦＰ２０の機能構成の例を示す図である。実施形態のＭＦＰ２０は、記憶部２１、通信制御部２２、読取制御部２３、印刷制御部２４、表示制御部２５及び入力制御部２６を備える。
【００１３】
記憶部２１は情報を記憶する。記憶部２１により記憶される情報は、例えば読取制御部２３により取得された画像データ等である。通信制御部２２は、ネットワーク１０を介して他の装置との間でデータの送受信を行う。通信制御部２２は、例えば読取制御部２３により取得された画像データを情報処理装置４０に送信する。読取制御部２３は、紙等の記録媒体に記録された情報を画像データとして読み取る。読取制御部２３は、例えば情報処理装置４０の機能要件が記された契約書等の書類を画像データとして読み取る。
【００１４】
図３は実施形態の書類の例を示す図である。図３の例は、情報処理装置４０の契約範囲内のサービス（機能要件）が記された契約書を示す。図３の契約書には、契約範囲内のサービス（機能要件）として、５つの設定項目（１．クラウドサービス、２．ストレージサービス、３．ＭＦＰ連携、４．アンチウィルス、５．メールによる通知）が記されている。情報処理装置４０は、契約範囲内のサービスが動作するように設定された状態で導入される必要がある。
【００１５】
図２に戻り、印刷制御部２４は、コピー機能及び印刷機能に係る印刷制御を行う。表示制御部２５は、ＭＦＰ２０の状態等を示す情報を、液晶タッチパネル等のユーザインターフェースに表示する制御を行う。入力制御部２６は、液晶タッチパネル及びボタン等のユーザインターフェースを介して、ユーザから入力された情報の制御を行う。
【００１６】
図４は実施形態の情報処理装置４０の機能構成の例を示す図である。実施形態の情報処理装置４０は、記憶部４１、通信制御部４２、解析部４３、設定部４４、表示制御部４５及び入力制御部４６を備える。
【００１７】
記憶部４１は情報を記憶する。記憶部４１に記憶される情報は、例えば設定可能項目情報及び有効設定情報等である。設定可能項目情報は、情報処理装置４０に設定可能な設定項目を示す。有効設定情報は、情報処理装置４０に設定された１以上の設定項目を示す。
【００１８】
通信制御部４２は、ネットワーク１０を介して他の装置との間でデータの送受信を行う。通信制御部４２は、例えば情報処理装置４０の機能要件が記された契約書等の書類を示す画像データを、ＭＦＰ２０から受信する。
【００１９】
解析部４３は、情報処理装置４０の機能要件が記された書類を示す画像データを解析して、情報処理装置４０に設定する１以上の設定項目を含む設定対象情報を取得する。解析部４３は、例えばＯＣＲ（Ｏｐｔｉｃａｌ  Ｃｈａｒａｃｔｅｒ  Ｒｅｃｏｇｎｉｔｉｏｎ）処理により画像データを解析する。具体的には、解析部４３は、いずれかの設定項目を示す文字列に一致する文字列が、画像データに含まれているか否かに基づいて、画像データに含まれる設定項目を特定し、特定された１以上の設定項目を含む設定対象情報を取得する。すなわち解析部４３は、いずれかの設定項目を示す文字列に一致する文字列が画像データに含まれる場合に、一致する文字列が示す設定項目を特定する。例えば図３の契約書を示す画像データの場合、解析部４３は、５つの設定項目（クラウドサービス、ストレージサービス、ＭＦＰ連携、アンチウィルス、及び、メールによる通知）を含む設定対象情報を取得する。
【００２０】
設定部４４は、解析部４３により取得された設定対象情報に含まれる１以上の設定項目を、情報処理装置４０に設定する。解析部４３により取得された設定対象情報に含まれる１以上の設定項目は、上述の有効設定情報として記憶部４１に記憶される。
【００２１】
表示制御部４５は、情報処理装置４０の状態等を示す情報を、液晶ディスプレイ等の表示装置に表示する制御を行う。入力制御部４６は、マウス及びキーボード等の入力装置を介して、ユーザから入力された情報の制御を行う。
【００２２】
なお情報処理装置４０が表示装置を備えていない場合は、表示制御部４５が、通信制御部４２を介して、端末３０のウェブブラウザ等による情報の表示の制御を行う。この場合、情報処理装置４０は、端末３０のキーボード及びマウス等の入力装置からウェブブラウザ等を介してユーザによる入力を受け、端末３０の液晶ディスプレイ等の表示装置にウェブブラウザ等を介して情報を表示する。
【００２３】
次に実施形態の情報処理方法の例について説明する。
【００２４】
図５は実施形態の情報処理方法の例を示すシーケンス図である。はじめに、ＭＦＰ２０（読取制御部２３）が、情報処理装置４０の機能要件が記された契約書等の書類を読み取ることにより、当該書類を示す画像データを取得する（ステップＳ１）。次に、ＭＦＰ２０（通信制御部２２）が、ステップＳ１で取得された画像データを情報処理装置４０に送信する（ステップＳ２）。次に、情報処理装置４０が、設定処理を行う（ステップＳ３）。ステップＳ３の設定処理の具体的な例の説明は、図６を参照して後述する。
【００２５】
次に、情報処理装置４０（通信制御部４２）は、設定処理の完了を示す設定完了通知情報をＭＦＰ２０に送信する（ステップＳ４）。次に、ＭＦＰ２０（表示制御部２５）は、ステップＳ４で受信した設定完了通知情報を、液晶タッチパネル等の表示装置に表示する（ステップＳ５）。
【００２６】
なお上述のＭＦＰ２０は、ハンドスキャナ等の読取装置が接続された端末３０でもよい。またステップＳ３の設定処理の過程で、ユーザの確認及び入力を促す情報をＭＦＰ２０及び端末３０等に送信してもよい。
【００２７】
次に上述のステップＳ３の設定処理について説明する。
【００２８】
図６は実施形態の設定処理の例を示すフローチャートである。はじめに、通信制御部４２が、情報処理装置４０の機能要件が記された契約書等の書類を示す画像データを、ＭＦＰ２０から受信する（ステップＳ１１）。
【００２９】
次に、解析部４３が、画像データの解析を行う。具体的には、解析部４３は、いずれかの設定項目を示す文字列に一致する文字列が、画像データに含まれているか否かに基づいて、画像データに含まれる設定項目を特定し、特定された１以上の設定項目を含む設定対象情報を取得する（ステップＳ１２）。
【００３０】
次に、設定部４４が、記憶部４１から上述の設定可能項目情報を読み出す（ステップＳ１３）。次に、設定部４４が、ステップＳ１２で取得された設定対象情報から設定項目を１つ取得する（ステップＳ１４）。
【００３１】
次に、設定部４４が、ステップＳ１４で取得された設定項目が、自装置で設定可能な設定項目であるか否かを判定する（ステップＳ１５）。具体的には、設定部４４は、ステップＳ１４で取得された設定項目が、ステップＳ１３で読み出された設定可能項目情報に含まれている場合、自装置で設定可能な設定項目であると判定する。
【００３２】
自装置で設定可能な設定項目でない場合（ステップＳ１５、Ｎｏ）、表示制御部４５が、自装置に存在しない設定項目であることを示すエラー情報を表示する制御を行い（ステップＳ１６）、処理はステップＳ１４に戻る。
【００３３】
図７は実施形態のエラー情報の例１を示す図である。図７の例は、情報処理装置４０で設定できない機能がある場合に表示されるエラー情報を示す。図７のエラー情報は、情報処理装置４０に機能Ｂの設定ができない場合を示す。「ＯＫ」が押下されると、当該エラー情報の表示を終了する。図７のエラー情報は、例えば情報処理装置４０の表示装置に表示される。また情報処理装置４０が表示装置を備えていない場合、表示制御部４５が、エラー情報を、通信制御部４２を介して、ＭＦＰ２０及び端末３０等に送信することにより、当該エラー情報が当該ＭＦＰ２０及び端末３０等で表示される。
【００３４】
図６に戻り、自装置で設定可能な設定項目である場合（ステップＳ１５、Ｙｅｓ）、設定部４４が、ステップＳ１４で取得された設定項目を設定する際に必要な情報があるか否かを判定する（ステップＳ１７）。設定項目を設定する際に必要な情報は、例えば所定の権限が必要な設定項目の場合、管理者権限等の所定の権限、及び、パスワード等である。またメールによる通知に関する設定項目の場合、通知先のメールアドレス等である。
【００３５】
設定項目を設定する際に必要な情報が不足している場合（ステップＳ１７、Ｎｏ）、表示制御部４５が、ユーザによる操作入力が必要な設定項目であることを示すエラー情報を表示する制御を行い（ステップＳ１８）、処理はステップＳ１４に戻る。
【００３６】
図８は実施形態のエラー情報の例２を示す図である。図８の例は、ユーザによる操作入力が必要な機能である場合に表示されるエラー情報を示す。図８のエラー情報は、機能Ｘの設定を手動で行うことを促す情報を表示する場合を示す。「設定する」が押下された場合、機能Ｘを設定する設定画面を表示される。「設定しない」が押下された場合、機能Ｘを設定する設定画面は表示されない。図８のエラー情報は、例えば情報処理装置４０の表示装置に表示される。また情報処理装置４０が表示装置を備えていない場合、表示制御部４５が、エラー情報を、通信制御部４２を介して、ＭＦＰ２０及び端末３０等に送信することにより、当該エラー情報が当該ＭＦＰ２０及び端末３０等で表示される。
【００３７】
設定項目を設定する際に必要な情報がある場合（ステップＳ１７、Ｙｅｓ）、設定部４４が、設定項目を設定する（ステップＳ１９）。設定項目は、有効な設定項目として、記憶部４１の有効設定情報に追加される。
【００３８】
次に、設定部４４が、ステップＳ１２の画像データの解析で取得された設定対象情報に含まれる全ての設定項目を取得したか否かを判定する（ステップＳ２０）。全ての設定項目を取得していない場合（ステップＳ２０、Ｎｏ）、処理はステップＳ１４に戻る。全ての設定項目を取得した場合（ステップＳ２０、Ｙｅｓ）、設定の完了を示す設定完了通知情報を通知し（ステップＳ２１）、処理を終了する。
【００３９】
図９は実施形態の設定完了通知情報の例を示す図である。図９の例は、情報処理装置４０の設定が完了したことを示す情報を表示する場合を示す。「ＯＫ」が押下されると、当該設定完了通知情報の表示を終了する。図９の設定完了通知情報は、例えば情報処理装置４０の表示装置に表示される。また情報処理装置４０が表示装置を備えていない場合、設定完了通知情報は、通信制御部４２により、ＭＦＰ２０及び端末３０等に送信される。
【００４０】
最後に、実施形態のＭＦＰ２０及び情報処理装置４０のハードウェア構成の例について説明する。
【００４１】
図１０は実施形態のＭＦＰ２０のハードウェア構成の例を示す図である。実施形態のＭＦＰ２０は、制御装置２０１、主記憶装置２０２、補助記憶装置２０３、ユーザインターフェース２０４、通信装置２０５、印刷装置２０６及び読取装置２０７を備える。制御装置２０１、主記憶装置２０２、補助記憶装置２０３、ユーザインターフェース２０４、通信装置２０５、印刷装置２０６及び読取装置２０７は、バス２００を介して接続されている。
【００４２】
制御装置２０１は補助記憶装置２０３から主記憶装置２０２に読み出されたプログラムを実行する。主記憶装置２０２はＲＯＭ及びＲＡＭ等のメモリである。補助記憶装置２０３はメモリカード及びＳＳＤ（Ｓｏｌｉｄ  Ｓｔａｔｅ  Ｄｒｉｖｅ）等である。
【００４３】
ユーザインターフェース２０４は、情報の表示と、情報の入力を受け付ける。ユーザインターフェース２０４は、例えば操作ボタン及び液晶タッチパネル等である。通信装置２０５は他の装置と通信する。
【００４４】
印刷装置２０６は、紙等の記録媒体に情報を記録する装置である。読取装置２０７は、紙等の記録媒体から情報を読み取る装置である。
【００４５】
ＭＦＰ２０で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【００４６】
またＭＦＰ２０で実行されるプログラムを、インターネット等のネットワークに接続されたコンピュータ上に格納し、ネットワーク経由でダウンロードさせることにより提供するように構成してもよい。またＭＦＰ２０が実行するプログラムを、ダウンロードさせずにインターネット等のネットワーク経由で提供するように構成してもよい。
【００４７】
またＭＦＰ２０のプログラムを、ＲＯＭ等に予め組み込んで提供するように構成してもよい。
【００４８】
ＭＦＰ２０で実行されるプログラムは、上述の実施形態のＭＦＰ２０の構成のうち、プログラムにより実現可能な機能を含むモジュール構成となっている。プログラムにより実現可能な機能は、例えば通信制御部２２、読取制御部２３、印刷制御部２４、表示制御部２５及び入力制御部２６等である。
【００４９】
プログラムにより実現される機能は、制御装置２０１が補助記憶装置２０３等の記憶媒体からプログラムを読み出して実行することにより、プログラムにより実現される機能が主記憶装置２０２にロードされる。すなわちプログラムにより実現される機能は、主記憶装置２０２上に生成される。
【００５０】
なお実施形態のＭＦＰ２０の機能の一部又は全部を、ＩＣ（Ｉｎｔｅｇｒａｔｅｄ  Ｃｉｒｃｕｉｔ）等のハードウェアにより実現してもよい。
【００５１】
図１１は実施形態の情報処理装置４０のハードウェア構成の例を示す図である。実施形態の情報処理装置４０は、制御装置３０１、主記憶装置３０２、補助記憶装置３０３、表示装置３０４、入力装置３０５及び通信装置３０６を備える。制御装置３０１、主記憶装置３０２、補助記憶装置３０３、表示装置３０４、入力装置３０５及び通信装置３０６は、バス３００を介して接続されている。図１１の情報処理装置４０は、例えばファイルサーバー等である。
【００５２】
制御装置３０１は補助記憶装置３０３から主記憶装置３０２に読み出されたプログラムを実行する。主記憶装置３０２はＲＯＭ及びＲＡＭ等のメモリである。補助記憶装置３０３はメモリカード及びＳＳＤ等である。
【００５３】
表示装置３０４は情報を表示する。表示装置３０４は、例えば液晶ディスプレイである。入力装置３０５は、情報の入力を受け付ける。入力装置３０５は、例えばキーボード及びマウス等である。通信装置３０６は他の装置と通信する。
【００５４】
情報処理装置４０で実行されるプログラムは、インストール可能な形式又は実行可能な形式のファイルでＣＤ−ＲＯＭ、メモリカード、ＣＤ−Ｒ及びＤＶＤ等のコンピュータで読み取り可能な記憶媒体に記憶されてコンピュータ・プログラム・プロダクトとして提供される。
【００５５】
また情報処理装置４０で実行されるプログラムを、インターネット等のネットワークに接続されたコンピュータ上に格納し、ネットワーク経由でダウンロードさせることにより提供するように構成してもよい。また情報処理装置４０が実行するプログラムを、ダウンロードさせずにインターネット等のネットワーク経由で提供するように構成してもよい。
【００５６】
また情報処理装置４０のプログラムを、ＲＯＭ等に予め組み込んで提供するように構成してもよい。
【００５７】
情報処理装置４０で実行されるプログラムは、上述の実施形態の情報処理装置４０の構成のうち、プログラムにより実現可能な機能を含むモジュール構成となっている。プログラムにより実現可能な機能は、例えば通信制御部４２、解析部４３、設定部４４、表示制御部４５及び入力制御部４６等である。
【００５８】
プログラムにより実現される機能は、制御装置３０１が補助記憶装置３０３等の記憶媒体からプログラムを読み出して実行することにより、プログラムにより実現される機能が主記憶装置３０２にロードされる。すなわちプログラムにより実現される機能は、主記憶装置３０２上に生成される。
【００５９】
なお実施形態の情報処理装置４０の機能の一部又は全部を、ＩＣ等のハードウェアにより実現してもよい。
【００６０】
以上説明したように、実施形態の情報処理装置４０では、解析部４３が、情報処理装置４０に必要な機能を示す機能要件が記された書類を示す画像データを解析して、情報処理装置４０に設定する１以上の設定項目を含む設定対象情報を取得する。そして設定部４４が、設定対象情報に含まれる１以上の設定項目を設定する。これにより実施形態の情報処理装置４０によれば、契約書等の書類に記された機能要件に合わせて情報処理装置４０を導入する際に、当該情報処理装置４０の設定作業時間をより短縮できる。
【００６１】
なお上述の実施形態の説明では、解析部４３が文字列の比較に基づいて画像データに含まれる設定項目を特定する場合について説明した。しかしながら解析部４３による画像データの解析方法は任意でよい。
【００６２】
例えば解析部４３は、画像データに含まれる１以上の所定の領域の輝度に基づいて画像データを解析することにより、１以上の設定項目を含む設定対象情報を取得してもよい。所定の領域は、例えば当該所定の領域に対応する設定項目の設定有無を示すマークシートの塗りつぶし領域、及び、当該所定の領域に対応する設定項目の設定有無を示すチェックボックスのチェック領域である。解析部４３は、例えば所定の領域の輝度が閾値以下であるか否かにより、当該所定の領域が塗りつぶされていることを判定する。そして解析部４３は、所定の領域の輝度が閾値以下である場合、当該所定の領域に対応する設定項目を設定対象情報に含める。
【００６３】
また例えば解析部４３は、画像データに含まれる１以上の所定の領域の色に基づいて画像データを解析することにより、１以上の設定項目を含む設定対象情報を取得してもよい。所定の領域の色は、例えば赤色又は青色で表す。赤色は、例えば所定の領域に対応する設定項目を設定する場合を表す。青色は、例えば所定の領域に対応する設定項目を設定しない場合を表す。解析部４３は、例えば所定の領域の色を判定する。そして解析部４３は、所定の領域の色に応じて、当該所定の領域に対応する設定項目を設定対象情報に含めるか否かを決定する。
【００６４】
また例えば解析部４３は、画像データに含まれるコード情報から、１以上の設定項目を含む設定対象情報を取得してもよい。コード情報は、例えば１以上の設定項目を含む設定対象情報を示すＱＲコード（登録商標）である。当該コード情報は、例えば契約書を作成するアプリケーション等が、契約された機能要件を満たすために必要な１以上の設定項目を含む設定対象情報を示すＱＲコード（登録商標）を、当該契約書に付与する。
【符号の説明】
【００６５】
１０  ネットワーク
２０  ＭＦＰ
２１  記憶部
２２  通信制御部
２３  読取制御部
２４  印刷制御部
２５  表示制御部
２６  入力制御部
３０  端末
４０  情報処理装置
４１  記憶部
４２  通信制御部
４３  解析部
４４  設定部
４５  表示制御部
４６  入力制御部
１００  情報処理システム
２０１  制御装置
２０２  主記憶装置
２０３  補助記憶装置
２０４  ユーザインターフェース
２０５  通信装置
２０６  印刷装置
２０７  読取装置
３０１  制御装置
３０２  主記憶装置
３０３  補助記憶装置
３０４  表示装置
３０５  入力装置
３０６  通信装置
【先行技術文献】
【特許文献】
【００６６】
【特許文献１】特許第４９６０６０９号公報
【図１】
2017027114.tif 000003
【図２】
2017027114.tif 000004
【図３】
2017027114.tif 000005
【図４】
2017027114.tif 000006
【図５】
2017027114.tif 000007
【図６】
2017027114.tif 000008
【図７】
2017027114.tif 000009
【図８】
2017027114.tif 000010
【図９】
2017027114.tif 000011
【図１０】
2017027114.tif 000012
【図１１】
2017027114.tif 000013